(57)【特許請求の範囲】
【請求項１】
ゴム弾性を有し中心軸線上に貫通孔１が設けられ、その貫通孔１の一端の孔縁部に上蓋着座部２が形成されると共に、他端に剛体挿入部３が形成され、外周に戸当たり面４ａが形成された戸当たり本体４と、
その本体４の前記貫通孔１内に、孔の周縁部５ａが内フランジ状に突出して、その本体４に埋設固定された座金５と、
軸線上に締結具挿通孔６が貫通され、前記本体４の剛体挿入部３に挿入されて前記座金５に先端が実質的に接し、後端が実質的に本体４から露出して床着座面７ａを形成する剛体７と、
前記本体４の前記上蓋着座部２側から前記貫通孔１に挿入されて、前記座金５および前記剛体７を床面に締結固定する外形が略木ねじ状の締結具８と、
前記本体４の前記上蓋着座部２に嵌着される上蓋９と、
を具備する床付用戸当たり。
【請求項２】
請求項１において、前記締結具８はその外周に形成されたネジ部８ａがコンクリート孔に内ネジを形成するコンクリート用タップ作用を有するものからなる床付用戸当たり。
【請求項３】
請求項１において、前記本体４の前記貫通孔１が段付孔を構成し、その大径孔が前記剛体挿入部３を構成すると共に、その段付の境に前記剛体挿入部３の内直径より大なる外形の前記座金５が埋設固定され、その座金５の一端面に前記剛体７の先端が接するように、その剛体７が前記剛体挿入部３に圧入された床付用戸当たり。
【請求項４】
請求項１において、前記剛体７の前記床着座面７ａが前記本体４の端面と面一に形成された床付用戸当たり。
【請求項５】
請求項１において、前記剛体７の前記床着座面７ａが前記本体４の端面より軸方向に突出された床付用戸当たり。
【発明の詳細な説明】
【０００１】
【発明の属する技術分野】
本発明は、床面上に垂直に固定される戸当たりに関する。
【０００２】
【従来の技術】
本発明者は、すでに実公平２−４１２６３号公報記載の「あおり止め付床付戸当たり」を提案している。さらには、図４に示すような戸当たりも本発明者自身が公知にしている。
第１の戸当たりは、その垂直な支軸の上端部に段付棒を設け、そこにゴム材からなるリング状の緩衝体を嵌着し、支軸上端にあおり止め部材を設けたものである。そして、支軸下面にボルト孔を形成し、アンカーボルトを介して床面にそれを固定するものである。
また、第２の戸当たりである図４に示すものは、ゴム製の本体４自体に段付孔を形成し、その大径孔に剛体７の上端部を嵌着する。そして、剛体７のボルト孔にネジ孔を形成するとともに、その平面に小さな貫通孔を穿設する。そして蓋付カシメピン15をその貫通孔に装着し、その軸端を下方からカシメてカシメ部15ａを形成することにより、本体４に剛体７を抜け止め固定するものである。
そして、床11に穿設した孔内に楔部13と組み合わされたアンカーボルト本体12を咬着し、アンカーボルト本体12に剛体７のボルト孔を螺着締結するものである。
【０００３】
【発明が解決しようとする課題】
従来の戸当たりは、いずれも支軸等の下端面にボルト孔が設けられている。そして床面に植設固定したアンカーボルトに戸当たりのボルト孔を螺着締結する構造のものであった。そのため、現場において必ずアンカーの設置が条件とされ、戸当たりの取付が面倒である欠点があった。
そこで本発明は、本体４の頭部側から各種の締結具を床に挿通固定することができ、作業性を良くするとともに本体４と剛体７とを簡単な構造で確実に一体化できる床付用戸当たりを提供することを課題とし、その課題解決のために次の手段をとる。
【０００４】
【課題を解決するための手段】
本発明の床付用戸当たりは、ゴム弾性を有し中心軸線上に貫通孔１が設けられ、その貫通孔１の一端の孔縁部に上蓋着座部２が形成されると共に、他端に剛体挿入部３が形成され、外周に戸当たり面４ａが形成された戸当たり本体４と、
その本体４の前記貫通孔１内に、孔の周縁部５ａが内フランジ状に突出して、その本体４に埋設固定された座金５と、
軸線上に締結具挿通孔６が貫通され、前記本体４の剛体挿入部３に挿入されて前記座金５に先端が実質的に接し、後端が実質的に本体４から露出して床着座面７ａを形成する剛体７と、
前記本体４の前記上蓋着座部２側から前記貫通孔１に挿入されて、前記座金５および前記剛体７を床面に締結固定する外形が略木ねじ状の締結具８と、
前記本体４の前記上蓋着座部２に嵌着される上蓋９と、
を具備するものである。
【０００５】
次に第２の本発明は、請求項１において、前記締結具８はその外周に形成されたネジ部８ａがコンクリート孔に内ネジを形成するコンクリート用タップ作用を有するものからなる。
さらに第３の本発明は、請求項１において、前記本体４の前記貫通孔１が段付孔を構成し、その大径孔が前記剛体挿入部３を構成すると共に、その段付の境に前記剛体挿入部３の内直径より大なる外形の前記座金５が埋設固定され、その座金５の一端面に前記剛体７の先端が接するように、その剛体７が前記剛体挿入部３に圧入されたものである。
第４の発明は、請求項１において、前記剛体７の前記床着座面７ａが前記本体４の端面と面一に形成されたものである。
次に第５の本発明は、請求項１において、前記剛体７の前記床着座面７ａが前記本体４の端面より軸方向に突出されたものである。
【０００６】
【発明の実施の形態】
次に、図面に基づいて本発明の実施の形態を説明する。
図１は本発明の床付用戸当たりの取付状態を示す縦断面図であり、図２は図１のII部拡大図、図３は同戸当たりの分解説明図であり、その（ａ）は締結具８の部分拡大図である。
この床付用戸当たりは、ゴム材よりなる本体４と、夫々金属製の剛体７と座金５と上蓋９と締結具８とを有する。本体４は、中心線上に段付の貫通孔１が形成され、その貫通孔１の大径孔側に剛体挿入部３が形成されると共に、小径孔の開口縁に上蓋着座部２が形成される。そして、貫通孔１の段付の境目には座金５が埋設固定されている。この座金５は、中心に締結具挿通孔６ａを有し、外直径が剛体挿入部３のそれより大に形成されている。本体４の外周は、軸断面が同一半径の戸当たり面４ａを形成する。また、上蓋着座部２は図２に示すごとく僅かの段付に形成され、上蓋９に整合する環状溝と、その環状溝の上縁に形成されたテーパー状の抜け止め部４ｂとを有する。
【０００７】
次に、本体４の剛体挿入部３に挿入される剛体７は、剛体挿入部３の軸方向高さと同一に形成され、その中心に締結具挿通孔６が貫通されている。剛体７の上下両端は平行に形成され、その一端側に床着座面７ａが設けられる。この剛体７は剛体挿入部３に圧入により装着される。そのため、剛体７の外周直径は、剛体挿入部３の内周直径よりもわずか大に形成されている。剛体７は鋼棒を切削することにより製作でき、座金５は鋼板をプレス成形により製作する。また、上蓋９はステンレス鋼板の打ち抜き材で構成することができる。そして本体４は、天然ゴムあるいはゴム弾性を有する軟質合成樹脂材から形成することができる。なお、座金５を本体４に埋設するには、本体４の成形時に平ワッシャー状の座金５を同心的に埋設固定（インサート成形による）すれば足りる。
【０００８】
次に、締結具８は外形がほぼ木ネジ状に形成され、その材質は固い鋼材が用いられている。その軸の一端には頭部を有し、図３（ａ）のごとく軸外周には第１のネジ部８ａと第２のネジ部８ｃとが２重の螺旋状に形成されている。第１のネジ部８ａの突出幅は、第２のネジ部８ｃの突出幅より大に形成されている。それとともに、ネジ部８ａにはほぼ１８０°毎に喰い込み用の欠切部８ｂが形成されている。そして、主としてこのネジ部８ａ，欠切部８ｂによりコンクリート孔内にネジ孔を形成するタップ作用をなす。この締結具８の頭部外周は六角に形成されると共に、その頂面にはドライバー嵌着用の十字溝が形成されている。
【０００９】
【使用方法】
このようにしてなる床付用戸当たりは、次のように床11上に締結固定される。
まず、床11上に締結具８の軸部より小なる孔が穿設される。次いで、本体４の上蓋着座部２から上蓋９が取り外される。この上蓋９を取り外すには、剛体７の床着座面７ａ側からドライバー等の軸部を挿通し、上蓋９の裏面側を突き上げればよい。そこで、次に貫通孔１から締結具８を挿入し、その先端部を床11の穿設孔に整合させる。そして締結具８の頭部を適宜な工具で螺回し、そのネジ部８ａにより床11の穿設孔に内ネジを形成しつつ締結具８を床11に締結固定する。
なお、床11は木材であっても或いは、コンクリート材であってもよい。さらには、コンクリート材表面に木材等の床材が被覆されたものであってもよい。床11がコンクリート材の場合には、コンクリート用ドリルを用いて穿孔する。
そしてそこに締結具８を締結すると、座金５を介して本体４が剛体７と一体化され、それらが床11に固定される。次いで、貫通孔１の上蓋着座部２に上蓋９を押圧することにより、本戸当たりの取付を完了する。
【００１０】
【発明の作用・効果】
本発明の床付用戸当たりは、略木ネジ状の外形を有する締結具８が、本体４の上蓋着座部２側から貫通孔１に挿入されて、座金５及び剛体７を床面に締結固定するように構成したから、その取付が極めて容易である。また、座金５は本体４に埋設され、それが剛体７の先端に実質的に連結されるように構成したため、締結具８を締結した時その締結力は全て剛体７に支持され、床着座面７ａを介して床11に伝達される。従って取付の際、本体４が異常に変形することを防止できる。そして、本体４と剛体７との一体性を保持することが可能となる。また、本体４の戸当たり面４ａに加わる衝撃は、剛体７の床着座面７ａを介して支持され、信頼性の高い戸当たりとなる。
さらに、締結具８を床11に締結した後に、本体４の上蓋着座部２に上蓋９を装着することにより、貫通孔１を容易に閉塞すると共に中心部にアクセントのある体裁のよい戸当たりとなり得る。
【００１１】
次に、締結具８の外周のネジ部８ａがコンクリート孔に内ネジを形成するコンクリート用タップ作用を有するものは、床11が木材であってもコンクリートであっても、いずれの場合にも同一の締結具８により本戸当たりを締結固定することが可能となる。そのため、床11の材質を問わず本戸当たりを使用することが可能となる。
また、貫通孔１の段付孔の境に剛体挿入部３の内直径より大なる外形の座金５が埋設固定され、その座金５の一端面に剛体７の先端が接するようにそれが圧入された戸当たりでは、構造が極めて簡単で且つ、締結具８を介して剛体７と座金５と本体４との一体性を確保できる。
さらに、剛体７の床着座面７ａが本体４の端面と面一に形成された戸当たりでは、剛体７の外周が本体４により被覆されることになるから、剛体７の外周がどのようなものであってもよく、全体として戸当たりを安価に提供できる。
【図面の簡単な説明】
【図１】本発明の床付用戸当たりの取付状態を示す縦断面図。
【図２】図１のII部拡大図。
【図３】同戸当たりの分解説明図。
【図４】従来型戸当たりの縦断面図。
【符号の説明】
１  貫通孔
２  上蓋着座部
３  剛体挿入部
４  本体
４ａ  戸当たり面
４ｂ  抜け止め部
５  座金
５ａ  周縁部
６  締結具挿通孔
６ａ  締結具挿通孔
７  剛体
７ａ  床着座面
８  締結具
８ａ  ネジ部
８ｂ  欠切部
８ｃ  ネジ部
９  上蓋
10  外装用筒体
11  床
12  アンカーボルト本体
13  楔部
14  内ネジ
15  蓋付カシメピン
15ａ  カシメ部
【図１】
0003743921.tif 000002
【図２】
0003743921.tif 000003
【図３】
0003743921.tif 000004
【図４】
0003743921.tif 000005